(57)【特許請求の範囲】
【請求項１】
浴槽の吸・吐水口に接続される循環経路上に、ポンプと、浴水浄化手段を構成する中空糸膜と、中空糸膜を洗浄する膜洗浄機構と、浴水殺菌手段とが配設されている浴水浄化システムにおいて、入浴時間帯と非入浴時間帯とを設け、非入浴時間帯を、入浴時間帯の経過直後から所定時間が経過するまでの第１の時間帯と、それ以降の第２の時間帯とに分け、第１の時間帯における膜洗浄の回数の頻度を第２の時間帯における膜洗浄の回数よりも増やすように予め設定された時間おきに膜洗浄を行う設定洗浄モードと、中空糸膜の孔の閉塞の程度をセンサーにより検知して中空糸膜の閉塞の程度を示す値が一定値を超えたときに、非入浴時間帯内で膜洗浄を行う検知洗浄モードとを備えていることを特徴とする浴水浄化システム。
【請求項２】
入浴時間帯内では膜洗浄を行わないことを特徴とする請求項１記載の浴水浄化システム。
【請求項３】
中空糸膜の閉塞の程度を検知するセンサーが、中空糸膜の二次側に設けられた流量センサーであることを特徴とする請求項１記載の浴水浄化システム。
【請求項４】
設定洗浄モードにおける膜洗浄と検知洗浄モードにおける膜洗浄とをタイミングをずらして行うことを特徴とする請求項１記載の浴水浄化システム。
【発明の詳細な説明】
【０００１】
【発明の属する技術分野】
本発明は、浴水浄化システムに関し、詳しくは例えば、家庭用浴水或いは公共用浴水中の汚濁物質を中空糸膜によって濾過或いは微生物によって分解・除去する循環式浄化システムに関するものである。
【０００２】
【従来の技術】
従来の中空糸膜を具備した浴水浄化システムは、人が入浴することにより浴水中に混入した垢等の固形物や、汗や垢等を資化して増殖する微生物由来の懸濁物質を、循環経路中に設けられた中空糸膜により濾過することで、清澄な水質へと浄化する。中空糸膜は懸濁物質を濾過するに従って、中空糸膜の孔が閉塞して濾過が不充分となるため、逆洗浄や洗浄ノズル噴射等の膜洗浄機構が設けられ、これによって中空糸膜の濾過能力の回復を行っている。従来では、中空糸膜の洗浄を１日に複数回、一定間隔で行われている。
【０００３】
また、浴水中や循環経路中を殺菌・除菌するための機構として電解装置、オゾン発生装置等を具備しており、これにより浴水中に浮遊する微生物を殺菌して、衛生的に維持すると共に、浴槽壁等へのヌメリの発生を抑えることで快適な入浴を実現でき、また循環経路中に付着した生物膜の発生を抑えることで、レジオネラ属菌等の病原性微生物の繁殖を抑制している。
【０００４】
【発明が解決しようとする課題】
ところで、中空糸膜による浴水の浄化は、図１５に示すように、入浴時間帯Ｋの終了時を基準として、２時間経過後から浴水が濁り始め、４〜６時間経過後（入浴時間帯Ｋを１８時〜２４時と想定した場合には、翌日の４〜６時頃で、通常は非入浴時間帯Ｌ）にその濁度のピークを迎え、その後は徐々に減少して定常値となる。これは、浴水の懸濁が微生物に依るものであり、入浴による汗や垢等の有機物を微生物が資化して対数的に増殖し、中空糸膜による濾過能を上回り、浴水が懸濁する。そして、浴水中の有機物が微生物によって消費され、微生物の増殖速度が低下して中空糸膜の濾過能が上回った時に浴水の濁度のピークを迎え、その後は浴水の濁度は減少し、定常となる。
【０００５】
しかしながら、従来の浴水浄化システムにあっては、中空糸膜の洗浄が１日に複数回、それも一定間隔で行われているため、前回の膜洗浄と次回の膜洗浄との間（特に入浴時間帯の終了時から４〜６時間経過後）では浴水の濁度の増加が著しく、この場合、中空糸膜の孔の閉塞が著しくなって、充分に除濁できなくなり、その結果、浴水の濁度のピーク並びに平均値が高くなり、浴水壁等にヌメリが生じやすくなる。また、浴水の濁度が減少して定常となった後に中空糸膜の洗浄を複数回行ったとしても、中空糸膜の洗浄効果がほとんどないものであった。しかも、１日の膜洗浄回数の頻度を増やすと、不必要な膜洗浄が行われるようになり、この結果、膜洗浄による中空糸膜の物理的劣化をきたすという問題があり、さらに膜洗浄が入浴時間帯とかち合うと、膜洗浄排水が洗い場に排水されて不快且つ不衛生になるという問題もある。
【０００６】
本発明は、上記の従来例の問題点に鑑みて発明したものであって、その目的とするところは、必要時に膜洗浄回数を増やすことで、浴水中の濁度を低減すると同時に、膜洗浄による中空糸膜の物理的劣化を抑えることができるようにした浴水浄化システムを提供するにあり、他の目的とするところは、入浴時に膜洗浄排水の排出を抑えることができ、また、構造が簡便で、汚れの付着によるセンシング不良が起こりにくくなるのを防止でき、さらに予め設定された膜洗浄以降に閉塞した汚れの程度を的確に検知して洗浄することで、浴水中の濁度を一層低減することができる浴水浄化システムを提供するにある。
【０００７】
【課題を解決するための手段】
上記課題を解決するために本発明にあっては、浴槽１の吸・吐水口１５に接続される循環経路２上に、ポンプ３と、浴水浄化手段を構成する中空糸膜４と、中空糸膜４を洗浄する膜洗浄機構５Ａと、浴水殺菌手段６Ａとが配設されている浴水浄化システムにおいて、入浴時間帯Ｋと非入浴時間帯Ｌとを設け、非入浴時間帯Ｌを、入浴時間帯Ｋの経過直後から所定時間が経過するまでの第１の時間帯Ｌ１と、それ以降の第２の時間帯Ｌ２とに分け、第１の時間帯Ｌ１における膜洗浄の回数の頻度を第２の時間帯Ｌ２における膜洗浄の回数よりも増やすように予め設定された時間おきに膜洗浄を行う設定洗浄モードと、中空糸膜４の孔の閉塞の程度をセンサーにより検知して中空糸膜４の閉塞の程度を示す値が一定値を超えたときに、非入浴時間帯Ｌ内で膜洗浄を行う検知洗浄モードとを備えていることを特徴としており、このように構成することで、入浴後（入浴時間帯Ｋの経過後）に浴水の濁度のピークを迎える時刻帯（第１の時間帯Ｌ１）において、効果的に浴水中の濁度を低減できるようになる。また中空糸膜４の閉塞を示すある一定値を超えた場合に膜洗浄の回数を増やすことによって、浴水中の濁度をより低減できると共に、不必要な膜洗浄をなくしつつ、膜洗浄による中空糸膜４の物理的劣化を効果的に抑えることができる。
【０００８】
また上記入浴時間帯Ｋ内では膜洗浄を行わないようにするのが好ましく、この場合、入浴時に膜洗浄排水が洗い場に排水されるのを抑えることができる。
【０００９】
また上記中空糸膜４の閉塞の程度を検知するセンサーが、中空糸膜４の二次側に設けられた流量センサー２６であるのが好ましく、この場合、簡便な構造で、中空糸膜４の閉塞の程度を検知でき、また流量センサー２６の汚れの付着によるセンシング不良が起こりにくくなる。
【００１０】
また上記設定洗浄モードにおける膜洗浄と検知洗浄モードにおける膜洗浄とをタイミングをずらして行うのが好ましく、この場合、予め設定された膜洗浄以降に閉塞した汚れの程度を的確に検知して洗浄できるようになる。
【００１１】
【発明の実施の形態】
以下、本発明を添付図面に示す実施形態に基づいて説明する。
【００１２】
図１は、本実施形態における電解電極槽６と浴水浄化用の中空糸膜４とを具備した浴水浄化システムの配管構成を示す。浴槽１内の浴水中には吸・吐水口１５を配設し、循環経路２の両端を吸・吐水口１５に接続している。この循環経路２には上流側から下流側にかけて、順に、ポンプ３、濾過槽２４、流量センサー２６、第一開閉弁１６を設けている。濾過槽２４は循環経路２を流通する浴水の濾過を行うための浴水浄化手段である中空糸膜４が内装されている。この中空糸膜４は、濾過槽２４内を循環経路２の上流側と下流側を仕切るように配設するものである。また、濾過槽２４には中空糸膜４の上流側（一次側）に、膜洗浄機構５Ａを構成する洗浄ノズル５が設けられている。洗浄ノズル５は複数の流水吐出口１０を有しており、濾過槽２４に設けられたモータ９の働きにより中空糸膜４の上流側の外周を回転するように構成されており、また回転と同時に流水吐出口１０から浴水を中空糸膜４の上流側の表面に吐出して中空糸膜４を上流側において洗浄するようになっている。中空糸膜４の下流側（二次側）には流量センサー２６が設けられており、この流量センサー２６によって、中空糸膜４の孔の閉塞の程度が検知され、中空糸膜４の閉塞の程度を示す値が一定値を超えたときに膜洗浄が行われるようになっている。
【００１３】
また循環経路２のポンプ３と濾過槽２４との間からは、バイパス流路１１を分岐しており、このバイパス流路１１の下流側の端部を吸・吐水口１５に接続している。バイパス流路１１には、上流側から下流側にかけて、第二開閉弁１７、第三開閉弁１８、ヒータ８を順に設けている。またバイパス流路１１の第二開閉弁１７と第三開閉弁１８との間からは、第一補助流路１２を分岐して設けている。この第一補助流路１２には、上流から下流にかけて、順に第一切替弁２０、電解電極槽６、第四開閉弁１９を設けている。また、第一切替弁２０と電解電極槽６とを、別の分岐流路１３にて接続し、この分岐流路１３に塩溶解槽７を設けている。ここで塩溶解槽７は、内部に塩化ナトリウムが収容されるものである。また、第一補助流路１２の下流側の他端は循環経路２の濾過槽２４よりも上流側に連通接続している。ここで第一切替弁２０は第一補助流路１２と分岐流路１３との分岐点において、第一補助流路１２の上流側、第一補助流路１２の下流側、分岐流路１３の下流側のそれぞれへの流通を開閉するものである。
【００１４】
上記の電解電極槽６は、容器内に一対の不溶性電極板からなる電極を、隔膜を介することなく対向配置した無隔膜タイプのものとして形成している。この容器内の水に、塩溶解槽７から供給された塩化ナトリウムが溶解している場合、一対の電極間に電圧を印加すると、塩化ナトリウムの電気分解により塩素（Ｃｌ２）や次亜塩素酸イオン（ＣｌＯ−）が発生し、洗浄殺菌水を生成することができるものである。
【００１５】
また上記濾過槽２４には、中空糸膜４の上流側において、第二補助流路２３の一端部を通連接続しており、この第二補助流路２３の他端部は、ポンプ３よりも上流側の循環経路２に連通接続している。この第二補助流路２３からは排水流路１４を分岐して設けており、この第二補助流路２３と排水流路１４との分岐点には、第二切替弁２１を設けている。ここで第二切替弁２１は、第二補助流路２３と排水流路１４との分岐点において、第二補助流路２３のポンプ３側、第二補助流路２３の濾過槽２４側、排水流路１４の排水側のそれぞれへの流通を開閉するものである。ここで、第一開閉弁１６、第二開閉弁１７、第三開閉弁１８、第四開閉弁１９、第一切替弁２０、第二切替弁２１のそれぞれのものは、電磁弁、電動弁等にて形成することができる。
【００１６】
上記構成の浴槽洗浄装置２５には、図２に示すように、入力操作部２７と制御回路２８からなる制御部２９が設けられ、制御回路２８を、配管上のポンプ３、電解電極槽６、ヒータ８、各開閉弁１６，１７，１８，１９、各切替弁２０，２１、並びに濾過槽２４のモータ９に接続してある。そして、使用者が入力操作部２７に入力する指示内容に従って、制御回路２８が配管上のポンプ３、電解電極槽６、ヒータ８、各開閉弁１６，１７，１８，１９、各切替弁２０，２１、並びに濾過槽２４のモータ９の動作を制御するようにしたものである。
【００１７】
図３は上記構成の浴水浄化システムにおいて、浴水の浄化時における浴槽洗浄装置２５内の浴水の流れを矢印で示すと共に、第一開閉弁１６、第二開閉弁１７、第三開閉弁１８、第四開閉弁１９、第一切替弁２０、第二切替弁２１の各弁のうち、開状態となっている箇所を黒く塗りつぶすことで明示したものである。図３に示すように、浴水の洗浄時においては、第一開閉弁１６を開状態、第二開閉弁１７を開状態、第三開閉弁１８を開状態、第四開閉弁１９を閉状態とするものであり、また第一切替弁２０においては第一補助流路１２の上流側を開状態、第一補助流路１２の下流側を開状態、分岐流路１３の下流側を開状態とし、第二切替弁２１においては、第二補助流路２３のポンプ３側を開状態、第二補助流路２３の濾過槽２４側を閉状態、排水流路１４の排水側を閉状態とするものである。この時、ポンプ３を作動させると、ポンプ３にて吸引された浴水の一部は循環経路２をそのまま流れ、濾過槽２４内に設けられた中空糸膜４を通過する際に、浴水中の垢、微生物、微生物の代謝生産物等の懸濁物質や汚濁物質が除去された後、浴槽１内に返送させるものである。またポンプ３にて吸引された浴水の他の一部は、ポンプ３の下流側においてバイパス流路１１に流れてヒータ８にて加熱され、浴槽１内へ返送されるものである。ここで、ヒータ８をバイパス流路１１に設けることで、中空糸膜４が目詰まりを起こして中空糸膜４を通過する濾過流量が低下した場合でも、バイパス流路１１に一定量の浴水が流れるため、浴水の温度低下を起こさない構成となっている。また上記のように浴水の浄化を行いながら、電解電極槽６の一対の電極間に電圧を印加することにより、電解電極槽６内において洗浄殺菌水を生成することができるものである。このときは、あらかじめ電解電極槽６中の塩化ナトリウムが供給されている状態で、一定時間一定電圧を印加することにより、無隔膜電極槽中に洗浄殺菌水を生成させるものである。
【００１８】
図４は、濾過槽２４の中空糸膜４の物理的洗浄時における浴槽洗浄装置２５内の浴水の流れを矢印で示したものである。図４に示すように、中空糸膜４の物理的洗浄時においては、第一開閉弁１６を閉状態、第二開閉弁１７を閉状態、第三開閉弁１８を閉状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３の濾過槽２４側を開状態、排水流路１４の排水側を閉状態とするものである。このとき、濾過槽２４に設けられた洗浄用洗浄ノズル５をモータ９にて回転させるものである。またこのとき、ポンプ３、中空糸膜４、及び濾過槽２４に備えられた洗浄用洗浄ノズル５を含む閉流路が形成され、浴水がこの閉流路を循環するものである。すなわち循環経路２を通って濾過槽２４へ達した浴水は、回転する洗浄用洗浄ノズル５の流水吐出口１０から中空糸膜４の表面に向けて満遍なく吹き付けられ、水流の勢いにより中空糸膜４表面の付着物を除去し、更に第二補助流路２３を通じて循環経路２のポンプ３よりも上流側に送られて、再ひ濾過槽２４へと送られる。このようにして一定時間、中空糸膜４の物理洗浄を行った後、図５に示すように各開閉弁１６，１７，１８，１９を図４と同様の状態を維持したまま、第二切替弁２１を、第二補助流路２３のポンプ３側を閉状態、第二補助流路２３の濾過槽２４側を開状態、排水流路１４の排水側を開状態とする。このようにすると、分離膜の物理洗浄に用いられ、懸濁物質や汚濁物質が混入した閉流路内の浴水が、排水流路１４を通じて浴槽洗浄装置２５外部へ排出されるものである。そしてこのようにして一定時間排水を行った後、各開閉弁１６，１７，１８，１９及び切替弁２０，２１を図３に示すような状態へと復帰させて、再び浴水の浄化を行うものである。
【００１９】
図６は、中空糸膜４の殺菌洗浄時における浴槽洗浄装置２５内の浴水の流れを矢印で示したものである。中空糸膜４の殺菌洗浄時においては、図３に示す状態で電解電極槽６にて殺菌洗浄水を生成した後、図６に示すように、第一開閉弁１６を開状態、第二開閉弁１７を開状態、第三開閉弁１８を開状態、第四開閉弁１９を開状態とするものであり、また第一切替弁２０においては第一補助流路１２の上流側を開状態、第一補助流路１２の下流側を閉状態、分岐流路１３の下流側を開状態とし、第二切替弁２１においては、第二補助流路２３のポンプ３側を開状態、第二補助流路２３の濾過槽２４側を閉状態、排水流路１４の排水側を閉状態とするものである。このようにすると、図３に示す浴水の浄化時の流路に加えて、通常の循環経路２から分岐して塩溶解槽７、浴水殺菌手段６Ａを構成する電解電極槽６の順に通り、再び循環経路２における濾過槽２４よりも下流側に接続される流路が形成され、電解電極槽６にて生成された殺菌洗浄水が、分離膜を通過するようにするものであり、この殺菌洗浄水中の塩素（Ｃ１２）、次亜塩素酸イオン（ＣｌＯ−）により、分離膜の付着物を分解すると共に、殺菌を行うものである。またこのとき同時に塩溶解槽７を通過して塩溶解槽７内の塩化ナトリウムが溶解した浴水が電解電極槽６に供給され、次回の分離膜の殺菌洗浄に用いるための殺菌洗浄水の生成に利用されるものである。そして続いて各開閉弁１６，１７，１８，１９及び各切替弁２０，２１を制御して図３に示す状態として、再び浴水の浄化を行うものである。
【００２０】
本実施形態の一連の動作を図７〜図９のフローチャートと、図１０のタイムスケジュールの一例に準じて詳述する。初期運転として図７のモード０に示すように、現在時刻並びに入浴時刻をそれぞれ入力操作部より入力し、浄化運転を開始する。一方、膜洗浄等を行うにあたっては、図８、図９の設定洗浄モードＡ，Ｂに設定する。ここでは図１０に示すように、１日を入浴時間帯Ｋと非入浴時間帯Ｌとに分け、更に非入浴時間帯Ｌを、入浴時間帯Ｋの経過直後から所定時間が経過するまでの第１の時間帯Ｌ１と、それ以降の第２の時間帯Ｌ２とに分ける。図１０の例では、入浴時間帯Ｋを１８時〜２４時と設定し、第１の時間帯Ｌ１を０時〜６時、第２の時間帯Ｌ２を６時〜１８時とした場合を例示しているが、もちろんこれは一例にすぎず、適宜、設定変更自在であるものとする。
【００２１】
図１０に示す例では、入浴時間の２時間前の１６時に設定洗浄モードＢ（殺菌＋膜洗浄）が設定され、その時刻を基準として、０時、２時、７時、１３時に設定洗浄モードＡ（膜洗浄），さらに４時に設定洗浄モードＢが設定される。これにより、第１の時間帯Ｌ１（０時〜８時）の膜洗浄回数は４回、第２の時間帯Ｌ２（８時〜１８時）の膜洗浄回数は２回となる。つまり、第１の時間帯Ｌ１における膜洗浄回数の頻度が第２の時間帯Ｌ２よりも多くなるように、予め設定された時間おきに膜洗浄が行われるようになっている。また入浴時間帯Ｋ内では膜洗浄が行われないようにしてある。ここでは、入力した現在時刻を基に各設定時刻に達すると、設定洗浄モードＡにおいては、図８に示すフローチャートに従って、膜洗浄が開始され、既述した洗浄方法で一定時間（ｃ１分間）の洗浄が行われた後に、中空糸膜４の洗浄が終了し、濾過槽２４内に貯留している膜洗浄水の排出を行う。また、設定洗浄モードＢにおいては、図９に示すフローチャートに従って、電気分解が開始され、一定時間（ａ分間）の電気分解を行い、電気分解終了より一定時間（ｂ分間）経過した後に、中空糸膜４の洗浄が開始され、既述した洗浄方法で一定時間（ｃ２分間）の洗浄が行われた後に、中空糸膜４の洗浄が終了し、濾過槽２４内に貯留している膜洗浄水の排出を一定時間（ｄ分間）行い、排水が完了した後に電解電極槽６で生成された殺菌洗浄水を一定時間（ｅ分間）通水して、中空糸膜４に付着した有機物の殺菌洗浄水による酸化処理を行うと共に、浴水の殺菌を同時に行う。尚、ここでは、入力した入浴開始時刻から各設定洗浄モードＡ，Ｂの時刻設定を行ったが、非入浴時刻を入力して各設定洗浄モードＡ，Ｂの時刻設定を行っても構わない。また、各設定洗浄モードＡ，Ｂの時刻設定、制御フローの内容は一例であって、上述の条件（第１の時間帯Ｌ１における膜洗浄回数の頻度が第２の時間帯Ｌ２よりも多くなるように、予め設定された時間おきに膜洗浄が行われる）を満たしておれば、特に限定されないものである。
【００２２】
図１１は、中空糸膜４の二次側に配置した流量センサー２６によって中空糸膜４の閉塞の程度を検知し、中空糸膜４の閉塞の程度を示す値が一定値を超えたときに、非入浴時間帯Ｌ内において膜洗浄を行う検知洗浄モードの一連の動作を示している。本例では、図１１の場合と同様、入浴時間帯Ｋ内では膜洗浄は行われない。また設定洗浄モードにおける膜洗浄と検知洗浄モードにおける膜洗浄とをタイミングをずらして行うようにしている。なお、検知洗浄モードにおける膜洗浄は図８又は図９のいずれかのフローチャートに準じるものとしているが、もちろんこれらフローチャートに限られるものではない。ここでは、入浴時間帯Ｋを例えば、１８時〜２４時と設定した場合において、入浴時間の２時間前の１６時に設定洗浄モードＢ（殺菌＋膜洗浄）が設定され、その時刻を基準として、７時、１３時に設定洗浄モードＡ，４時に設定洗浄モードＢ、更にこれら設定洗浄モードＡ，Ｂとタイミングをずらして、中空糸膜４の流量の検知が０時に行われる。もちろん、０時に限られるものではない。先ず、０時に流量センサー２６により中空糸膜４の膜流量の検知を行い、検知された流量が一定値以下であれば、中空糸膜４の孔が閉塞していると判断して、０時と２時にそれぞれ検知洗浄モードに移行して中空糸膜４の洗浄が行われる。なお、中空糸膜４の流量の検知は、浴水中の濁度が上昇し始める入浴時間帯Ｋの終了時近傍、或いは、入浴前の濁度を低減させる観点から入浴時間帯Ｋの５〜１０時間前が望ましい。
【００２３】
しかして、入浴時間帯Ｋと非入浴時間帯Ｌとを設け、非入浴時間帯Ｌを、入浴時間帯Ｋの経過直後から所定時間が経過するまでの第１の時間帯Ｌ１と、それ以降の第２の時間帯Ｌ２とに分けて、第１の時間帯Ｌ１における膜洗浄の回数の頻度を第２の時間帯Ｌ２における膜洗浄の回数よりも増やすようにしたので、通常、入浴４時間後から６時間後に浴水の濁度のピークを迎える時刻帯（第１の時間帯Ｌ１）においてそれ以降の第２の時間帯Ｌ２よりも中空糸膜４の洗浄頻度が増えて、効果的に浴水中の濁度を低減できるようになる。さらに、中空糸膜４の閉塞の程度を流量センサー２６にて検知して、中空糸膜４の閉塞を示すある一定値を超えた場合に膜洗浄の回数を増やすことによって、不必要な膜洗浄を抑えながら、浴水中の濁度を低減でき、しかも、膜洗浄による中空糸膜４の物理的劣化を抑えることができる。
【００２４】
また本例では、入浴時間帯Ｋでの膜洗浄の回数をゼロにすることで、入浴時に膜洗浄排水が洗い場に排水されるのを抑えることができ、不快且つ不衛生となるのを防止できる。
【００２５】
さらに中空糸膜４の二次側に流量センサー２６を設けるだけで、中空糸膜４の閉塞の程度を検知するセンサーを構成でき、構造が簡便であり、また汚れの付着によるセンシング不良が起こりにくくなる。そのうえ図１１に示すように、流量センサー２６の検知のタイミングと、予め設定された膜洗浄のタイミングとをずらすことによって、予め設定された膜洗浄以降に閉塞した汚れの程度を的確に検知して洗浄することができ、浴水中の濁度を低減することができるものである。
【００２６】
【実施例】
以下、本発明の実施例によって詳述する。
（実施例１）
浴水浄化システムとして、図１に示すものを用いた。ここで吐水量２０リットル／ｍｉｎのポンプ３、消費電力６００Ｗのヒータ８、φ１２０ｍｍ、ｈ１６０ｍｍの寸法の濾過槽２４、φ３ｍｍの流水吐出口１０を５個具備する洗浄ノズル５、及びポリエチレン製の０．８ｍ２の中空糸膜４からなる浄化膜を具備する浴水浄化システムを、浴水水量２００リットルの浴槽１に設置した。なお、この浴水浄化システムは図１０で示したタイムスケジュールに従うものとし、洗浄時間を１０分間、電解電極槽６で生成された洗浄殺菌水中の塩素量を５００ｍｇ、膜洗浄排水量を５リットルとする。
（比較例１）
実施例１と同様の構成で、タイムスケジュールは図１２に従うものとし、それ以外の設定は実施例１に準じるものとする。
（評価）
上記浴水浄化システムを連続運転しながら、設定された入浴時間帯Ｋに１日当たり５人の入浴をして浄化実験を行い、浴水の濁度の経時変化を計測して浄化性能を評価した。実施例１の評価結果を図１３に、比較例１の評価結果を図１４に、それぞれ示す。中空糸膜４の洗浄を一定間隔で行った比較例１では、入浴終了の６時間目から濁度が上昇し始め、それ以降は急激に上昇して約１０〜１１時間目でピーク濁度である０．６ＮＴＵを迎え、５時の洗浄を機に急激に減少した。
一方、実施例１においては、濁度の挙動は比較例１と同様であるが、濁度のピークは０．５ＮＴＵと比較例１に比して抑えることができ、それ以降も比較例１より低い濁度の推移を達成した。
（実施例２）
実施例１に示した構成で、タイムスケジュールは図１１に従うものとし、それ以外の設定は実施例に準じるものとする。
（評価）
実施例２並びに比較例１の浴水浄化システムを連続運転しながら、設定された入浴時間帯Ｋに１日当たり５人の入浴をして３ヶ月間に亘る浄化実験を行い、その前後における中空糸膜４の引っ張り強度を計測した。引っ張り強度の計測は中空糸を周囲から任意の箇所より２０本ずつ採取して行った。その結果は下記の通りで、実施例２では比較例１に比してその引っ張り強度は約３０ｍｇ高く、中空糸膜４の洗浄による劣化を抑えることができ、長寿命化を図ることができた。
【００２７】
【表１】
0003587153.tif 000002
【００２８】
【発明の効果】
上述したように、請求項１記載の発明にあっては、浴槽の吸・吐水口に接続される循環経路上に、ポンプと、浴水浄化手段を構成する中空糸膜と、中空糸膜を洗浄する膜洗浄機構と、浴水殺菌手段とが配設されている浴水浄化システムにおいて、入浴時間帯と非入浴時間帯とを設け、非入浴時間帯を、入浴時間帯の経過直後から所定時間が経過するまでの第１の時間帯と、それ以降の第２の時間帯とに分け、第１の時間帯における膜洗浄の回数の頻度を第２の時間帯における膜洗浄の回数よりも増やすように予め設定された時間おきに膜洗浄を行う設定洗浄モードと、中空糸膜の孔の閉塞の程度をセンサーにより検知して中空糸膜の閉塞の程度を示す値が一定値を超えたときに、非入浴時間帯内で膜洗浄を行う検知洗浄モードとを備えているので、入浴時間帯の終了時を基準として浴水の濁度のピークを迎える第１の時間帯での洗浄回数の頻度をそれ以降の第２の時間帯での洗浄回数よりも増やすことによって、効果的に浴水中の濁度を低減できるものであり、また中空糸膜の閉塞を示すある一定値を超えた場合にはこれをセンサーで検知して膜洗浄の回数を増やすことによって、浴水中の濁度をより低減できると共に、不必要な膜洗浄をなくして、膜洗浄による中空糸膜の物理的劣化を抑えることができ、中空糸膜の長寿命化を図ることができる。
【００２９】
また請求項２記載の発明は、請求項１記載の効果に加えて、入浴時間帯内では膜洗浄を行わないので、入浴時に膜洗浄排水が洗い場に排水されたりするのを抑えることができ、快適で且つ衛生的とすることができる。
【００３０】
また請求項３記載の発明は、請求項１記載の効果に加えて、中空糸膜の閉塞の程度を検知するセンサーが、中空糸膜の二次側に設けられた流量センサーであるので、中空糸膜の二次側に流量センサーを設けるという簡便な構造で、中空糸膜の閉塞の程度を検知でき、また流量センサーを中空糸膜の二次側に配置することで、汚れの付着によるセンシング不良が起こりにくくなり、検知精度の向上を図ることができる。
【００３１】
また請求項４記載の発明は、請求項１記載の効果に加えて、設定洗浄モードにおける膜洗浄と検知洗浄モードにおける膜洗浄とをタイミングをずらして行うことにより、予め設定された膜洗浄以降に閉塞した汚れの程度を的確に検知して洗浄することができ、浴水中の濁度を一層低減することができるものである。
【図面の簡単な説明】
【図１】本発明の実施形態の一例を示す概略図である。
【図２】同上のブロック図である。
【図３】同上の浴水浄化時の浴水の流れの説明図である。
【図４】同上の中空糸膜の洗浄時の浴水の流れの説明図である。
【図５】同上の膜洗浄排水時の浴水の流れの説明図である。
【図６】同上の殺菌・洗浄時の浴水の流れの説明図である。
【図７】同上の通常運転時のフローチャートである。
【図８】同上の膜洗浄のみを行う設定洗浄モードのフローチャートである。
【図９】同上の膜洗浄と殺菌とを行う設定洗浄モードのフローチャートである。
【図１０】同上の実施例１のタイムスケジュールである。
【図１１】同上の実施例２のタイムスケジュールである。
【図１２】同上の比較例１のタイムスケジュールである。
【図１３】同上の実施例１の評価結果を示すグラフである。
【図１４】同上の比較例１の評価結果を示すグラフである。
【図１５】従来例の入浴後の経過時間と濁度との関係を示すグラフである。
【符号の説明】
１  浴槽
２  循環経路
３  ポンプ
４  中空糸膜
５Ａ  膜洗浄機構
６Ａ  浴水殺菌手段
１５  吸・吐水口
２６  流量センサー
Ｋ  入浴時間帯
Ｌ  非入浴時間帯
Ｌ１  第１の時間帯
Ｌ２  第２の時間帯
【図１】
0003587153.tif 000003
【図２】
0003587153.tif 000004
【図３】
0003587153.tif 000005
【図４】
0003587153.tif 000006
【図５】
0003587153.tif 000007
【図６】
0003587153.tif 000008
【図７】
0003587153.tif 000009
【図８】
0003587153.tif 000010
【図９】
0003587153.tif 000011
【図１０】
0003587153.tif 000012
【図１１】
0003587153.tif 000013
【図１２】
0003587153.tif 000014
【図１３】
0003587153.tif 000015
【図１４】
0003587153.tif 000016
【図１５】
0003587153.tif 000017